(57)【要約】【課題】二つの電池を安定的に接続でき、掛かるスペースを減少できる電池用相互連結装置を提供する。【解決手段】第１電池の上面に配される底板と、前記底板から前記第１電池を離れる方向に沿って延びる二つのサイドプレートと、前記二つのサイドプレートから横方向に沿って延び、前記底板との間に適当の距離を有し、第２電池と連結する二つの固定板と、を含み、前記定板は、前記第１電池と前記第２電池との間に配され、前記第１電池と前記第２電池とを連結する。【選択図】図１
0003165002.tif 000002
【実用新案登録請求の範囲】
【請求項１】
第１電池と第２電池との間に配され、前記第１電池と前記第２電池とを連結し、前記第１電池の上面に配される底板と、
前記底板から前記第１電池を離れる方向に沿って延びる二つのサイドプレートと、
前記二つのサイドプレートから横方向に沿って延び、前記底板との間に適当の距離を有し、前記第２電池と連結する二つの固定板と、
を含むことを特徴とする、電池用相互連結装置。
【請求項２】
前記固定板に少なくとも一つのねじ挿入穴が設けられ、ねじが前記ねじ挿入穴を挿通して前記第２電池に螺着することを特徴とする、請求項１に記載の電池用相互連結装置。
【請求項３】
前記底板には、前記ねじ挿入穴に対応する透かし部が形成されることを特徴とする、請求項２に記載の電池用相互連結装置。
【請求項４】
前記底板に少なくとも一つの避け溝が形成され、前記避け溝が前記二つのサイドプレートの間に介在することを特徴とする、請求項１に記載の電池用相互連結装置。
【請求項５】
上面と固定具とを有し、
前記固定具が前記上面に押付ける第１電池と、第２電池と、少なくとも一つの電池用相互連結装置と、を含み、
前記電池用相互連結装置は、前記第１電池の上面に配される底板と、前記底板から前記第１電池を離れる方向に沿って延びる二つのサイドプレートと、前記二つのサイドプレートから横方向に沿って延び、前記底板との間に適当の距離を有し、前記第２電池と連結する二つの固定板と、を含むことを特徴とする電池セット。
【請求項６】
前記固定板に少なくとも一つのねじ挿入穴が設けられ、ねじが前記ねじ挿入穴を挿通して前記第２電池に螺着することを特徴とする、請求項５に記載の電池セット。
【請求項７】
前記底板には、前記ねじ挿入穴に対応する透かし部が形成されることを特徴とする、請求項６に記載の電池セット。
【請求項８】
前記底板に少なくとも一つの避け溝が形成され、前記避け溝が前記二つのサイドプレートの間に介在し、前記第１電池は、更に、少なくとも一つの固定ねじ軸を有し、前記固定具の少なくとも一端が前記固定ねじ軸に螺着し、前記固定ねじ軸が前記避け溝を挿通することを特徴とする、請求項５に記載の電池セット。
【請求項９】
前記底板と前記上面との間には、更に、滑り止パッド又はベルクロが配されることを特徴とする、請求項５に記載の電池セット。
【考案の詳細な説明】
【技術分野】
【０００１】
本考案は、電池用相互連結装置および電池セットに関するものである。
【背景技術】
【０００２】
放電倍率、電池の持久力およびコストなどの要素を同時に考慮すると、本願の出願者は特許文献１の台湾特許第Ｍ３８７０３４号を提案した。これは、鉛酸電池と燐酸鉄リチウムイオン電池とを並列接続して使用する電池モジュールである。しかし、鉛酸電池と燐酸鉄リチウムイオン電池とを分離するように設置すると、スペースがかなり掛かるという問題があった。
【先行技術文献】
【特許文献】
【０００３】
【特許文献１】台湾特許第Ｍ３８７０３４号
【考案の概要】
【考案が解決しようとする課題】
【０００４】
本考案の主な目的は、二つの電池を安定的に接続でき、掛かるスペースを減少できる電池用相互連結装置を提供することにある。
【課題を解決するための手段】
【０００５】
本考案の電池用相互連結装置によると、第１電池と第２電池との間に配され、前記第１電池と前記第２電池とを連結し、前記第１電池の上面に配される底板と、前記底板から前記第１電池を離れる方向に沿って延びる二つのサイドプレートと、前記二つのサイドプレートから横方向に沿って延び、前記底板との間に適当の距離を有し、前記第２電池と連結する二つの固定板と、を含むことを特徴とする。
【０００６】
本考案の電池用相互連結装置によると、前記各固定板に少なくとも一つのねじ挿入穴が設けられ、ねじが前記ねじ挿入穴を挿通して前記第２電池に螺着することを特徴とする。
【０００７】
本考案の電池用相互連結装置によると、前記底板には、前記ねじ挿入穴に対応する透かし部が形成されることを特徴とする。
【０００８】
本考案の電池用相互連結装置によると、前記底板に少なくとも一つの避け溝が形成され、前記避け溝が前記二つのサイドプレートの間に介在することを特徴とする。
【０００９】
本考案の電池セットによると、上面と固定具とを有し、前記固定具が前記上面に押付ける第１電池と、第２電池と、少なくとも一つの電池用相互連結装置と、を含み、前記電池用相互連結装置は、前記第１電池の上面に配される底板と、前記底板から前記第１電池を離れる方向に沿って延びる二つのサイドプレートと、前記二つのサイドプレートから横方向に沿って延び、前記底板との間に適当の距離を有し、前記第２電池と連結する二つの固定板と、を含むことを特徴とする。
【００１０】
本考案の電池セットによると、前記各固定板に少なくとも一つのねじ挿入穴が設けられ、ねじが前記ねじ挿入穴を挿通して前記第２電池に螺着することを特徴とする。
【００１１】
本考案の電池セットによると、前記底板には、前記ねじ挿入穴に対応する透かし部が形成されることを特徴とする。
【００１２】
本考案の電池セットによると、前記底板に少なくとも一つの避け溝が形成され、前記避け溝が前記二つのサイドプレートの間に介在し、前記第１電池は、更に、少なくとも一つの固定ねじ軸を有し、前記固定具の少なくとも一端が前記固定ねじ軸に螺着し、前記固定ねじ軸が前記避け溝を挿通することを特徴とする。
【００１３】
本考案の電池セットによると、前記底板と前記上面との間には、更に、滑り止パッド又はベルクロが配されることを特徴とする。
【考案の効果】
【００１４】
本考案の電池用相互連結装置によれば、二つの電池を安定的に接続でき、掛かるスペースを減少できるという効果を有する。
【図面の簡単な説明】
【００１５】
【図１】本考案の実施例１の電池セットの分解斜視図である。
【図２】本考案の実施例１の電池セットの組合済み状態の斜視図である。
【図３】本考案の実施例１の電池セットの側面図である。
【図４】本考案の実施例２の電池セットの組合済み状態の斜視図である。
【図５】本考案の電池用相互連結装置の斜視図である。
【考案を実施するための形態】
【００１６】
以下、本考案の実施の形態を図面に基づいて説明する。
【実施例１】
【００１７】
まず、図１及び図３を参照する。本考案の電池セットは、第１電池１０と、第２電池２０と、電池用相互連結装置３０と、を含む。
【００１８】
第１電池１０は、上面１１と、固定具１２と、少なくとも一つの固定ねじ軸１３と、を有する。固定具１２は上面１１に押付けており、具体的には、固定具１２の少なくとも一端が固定ねじ軸１３に螺着し、第１電池１０は鉛酸電池である。
【００１９】
電池用相互連結装置３０は、一つの底板３１と、二つのサイドプレート３２と、二つの固定板３３と、を含む。底板３１は、第１電池１０の上面に配され、固定具１２と上面１１との間に挟まれている。二つのサイドプレート３２は、底板３１から第１電池１０を離れる方向に沿って延びる。二つのサイドプレート３２は底板３１の両側から垂直に延びることが好ましい。二つの固定板３３は、二つのサイドプレート３２の内側または外側から横方向に沿って延び（固定板は、図５に示すように、サイドプレートの幅が広げられた上面でもよい）、固定具１２を収容可能にするために、底板３１との間に適当の距離を有し、第２電池２０と連結する。具体的には、第２電池２０が燐酸鉄リチウムイオン電池またはその他の補助電池である。
【００２０】
各固定板３３に少なくとも一つのねじ挿入穴３４が設けられ、ねじがねじ挿入穴３４を挿通して第２電池２０に螺着する。底板３１には、ねじ挿入穴３４に対応する透かし部３６が形成される。透かし部３６の形態は、図面に示すような剖開溝でもいいし、図示しない貫通孔でもよい。透かし部３６は、ドライバなどの工具を挿通してねじ３５をねじ込むことを可能にするものである。
【００２１】
底板３１に少なくとも一つの避け溝３７が形成され、避け溝３７が二つのサイドプレート３２の間に介在する。これにより、固定ねじ軸１３は避け溝３７を挿通して固定具１２と結合することができる。
【実施例２】
【００２２】
図４を参照する。本実施例では、電池セットは二つの電池用相互連結装置３０を有する。もちろん、電池用相互連結装置の数量は、必要によって適当に変更可能である。
【００２３】
図１を参照する。本考案の電池用相互連結装置３０は、底板３１と第１電池１０の上面１１との間には、更に、滑り止パッド４０又はベルクロが配される。これにより、固定効果が更に向上する。
【００２４】
また、図５を参照する。本考案の別の実施例では、二つのサイドプレート３２が二層壁の構成であり、二つの固定板３３が前記二層壁を跨っており、これにより、第２電池と連結することができる。
【００２５】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２６】
本考案は、電池セットに適用することができる。
【符号の説明】
【００２７】
１０：第１電池
１１：上面
１２：固定具
１３：固定ねじ軸
２０：第２電池
３０：電池用相互連結装置
３１：底板
３２：サイドプレート
３３：固定板
３４：ねじ挿入穴
３５：ねじ
３６：透かし部
３７：避け溝
４０：滑り止パッド
【図１】
0003165002.tif 000003
【図２】
0003165002.tif 000004
【図３】
0003165002.tif 000005
【図４】
0003165002.tif 000006
【図５】
0003165002.tif 000007